(57)【要約】【課題】シャッタを閉めた際、シャッタ端部と、玉箱や玉箱設置台のシャッタの閉じる方向の端部との間にパチンコ玉が挟まることを防止することができ、かつシャッタを確実に閉じることができるシャッタ機構および計数装置を提供することを目的とする。【解決手段】シャッタ機構３００は、玉箱１０６と、この玉箱１０６を設置する玉箱設置台１０５と、玉箱１０６の底部外面１０６ａと玉箱設置台１０５の上面２５０ａとの間を摺動可能に設けられ、玉箱１０６および玉箱設置台１０５にそれぞれ対応して開口されたパチンコ玉を下方に排出する開口部１０７、２５２を開閉可能な玉箱シャッタ１０８および玉箱設置台シャッタ２５３とを備える。また、上記したシャッタを閉じる際にシャッタが摺動する方向における、底部外面１０６ａと上面２５０ａとの間の距離Ｈをパチンコ玉の直径よりも大きいく設定している。【選択図】図７
2008054981.tif 000002
【特許請求の範囲】
【請求項１】
パチンコ玉を上流から下流に導く通路の断面に沿って摺動し、前記通路を開閉可能なシャッタと、
少なくとも、前記シャッタを閉じる際に前記シャッタが摺動する方向における、前記通路のシャッタ上流側の下端部と前記通路のシャッタ下流側の上端部との間の距離が、前記パチンコ玉の直径よりも大きいことを特徴とするシャッタ機構。
【請求項２】
前記シャッタを閉じる際に前記シャッタが摺動する方向における、前記通路のシャッタ上流側の下端部と前記通路のシャッタ下流側の上端部との間に形成される空間の水平方向の断面積が、前記シャッタ上流側の通路の断面積よりも大きいことを特徴とする請求項１記載のシャッタ機構。
【請求項３】
前記シャッタを閉じる際に前記シャッタが摺動する方向の前記シャッタの端部が、シャッタ上流側が鋭角となるように前記シャッタの厚さ方向に傾斜していることを特徴とする請求項１または２記載のシャッタ機構。
【請求項４】
前記通路のシャッタ下流側の上端部が、パチンコ玉が排出される下流側に傾斜していることを特徴とする請求項１乃至３のいずれか１項記載のシャッタ機構。
【請求項５】
パチンコ玉を貯留する貯留部と、
前記貯留部の底部に設けられたパチンコ玉を下方に排出する排出口と、
前記貯留部の底部外面側に設けられ、前記排出口に沿って摺動して前記排出口を開閉可能なシャッタと、
前記シャッタの下方側に設けられ、前記シャッタの摺動通路を形成する支持部材、または前記シャッタの摺動通路を形成する支持部材に取り付けられた部材に形成された前記パチンコ玉を下方に導く第２の排出口と
を備えるシャッタ機構であって、
少なくとも、前記シャッタを閉じる際に前記シャッタが摺動する方向における、前記排出口の下端部と前記第２の排出口の上端部との間の距離が、前記パチンコ玉の直径よりも大きいことを特徴とするシャッタ機構。
【請求項６】
パチンコ玉を貯留する貯留部と、
前記貯留部の底部に設けられたパチンコ玉を下方に排出する排出口と、
前記貯留部の底部外面側に設けられ、前記排出口に沿って摺動して前記排出口を開閉可能なシャッタと、
前記貯留部を設置する設置台と、
前記設置台に前記排出口に対応して設けられた前記パチンコ玉を下方に排出する第２の排出口と
を備えるシャッタ機構であって、
少なくとも、前記シャッタを閉じる際に前記シャッタが摺動する方向における、前記排出口の下端部と前記第２の排出口の上端部との間の距離が、前記パチンコ玉の直径よりも大きいことを特徴とするシャッタ機構。
【請求項７】
前記シャッタを閉じる際に前記シャッタが摺動する方向における、前記排出口の下端部と前記第２の排出口の上端部との間に形成される空間の水平方向の断面積が、前記貯留部に形成された排出口の面積よりも大きいことを特徴とする請求項５または６記載のシャッタ機構。
【請求項８】
前記シャッタを閉じる際に前記シャッタが摺動する方向の前記シャッタの端部が、前記貯留部側が鋭角となるように前記シャッタの厚さ方向に傾斜していることを特徴とする請求項５乃至７のいずれか１項記載のシャッタ機構。
【請求項９】
前記第２の排出口の上端部が、パチンコ玉が排出される下流側に傾斜していることを特徴とする請求項５乃至８のいずれか１項記載のシャッタ機構。
【請求項１０】
パチンコ玉を計数する計数機構を備える計数機であって、請求項１乃至９のいずれか１項記載のシャッタ機構を具備することを特徴とする計数機。
【発明の詳細な説明】
【技術分野】
【０００１】
本発明は、例えば、パチンコ機毎に設けられ、遊技客が獲得した遊技媒体を貯留する玉箱およびこの玉箱を設置する玉箱設置台におけるシャッタ機構およびこのシャッタ機構を備えた計数装置に関する。
【背景技術】
【０００２】
近年、パチンコ機の各台毎にパチンコ玉を計数する計数機が付設されている。この従来のパチンコ機用の計数機では、開閉可能なシャッタを設け、このシャッタを開くことで、玉箱に溜まったパチンコ玉を計数部に排出している（例えば、特許文献１参照。）。
【特許文献１】特開平９−３１３７２９号公報
【発明の開示】
【発明が解決しようとする課題】
【０００３】
上記した従来の玉箱から計数部にパチンコ玉を排出するためのシャッタ機構において、シャッタを閉めた際、パチンコ玉が、シャッタ端部と、玉箱や玉箱設置台のシャッタの閉じる方向の端部との間に挟まってしまうという問題があった。また、このパチンコ玉が挟まった状態のまま放置すると、例えば、遊技客が誤ってジュースなどの液体を玉箱内にこぼしたときには、パチンコ玉が挟まった隙間から計数部に液体が流れ込んでしまうという問題があった。さらに、例えば、パチンコ玉が挟まったことを検知したときには、アラーム報知して店員に知らせ、店員は、リモコン操作によりアラーム解除し、玉詰まりを解消する作業を行うため、店員の作業工数が増加するという問題があった。
【０００４】
そこで、本発明では、このような課題を解決するためになされたもので、シャッタを閉めた際、シャッタ端部と、玉箱や玉箱設置台のシャッタの閉じる方向の端部との間にパチンコ玉が挟まることを防止することができ、かつシャッタを確実に閉じることができるシャッタ機構および計数装置を提供することを目的とする。
【課題を解決するための手段】
【０００５】
上記目的を達成するために、本発明のシャッタ機構は、パチンコ玉を上流から下流に導く通路の断面に沿って摺動し、前記通路を開閉可能なシャッタと、少なくとも、前記シャッタを閉じる際に前記シャッタが摺動する方向における、前記通路のシャッタ上流側の下端部と前記通路のシャッタ下流側の上端部との間の距離が、前記パチンコ玉の直径よりも大きいことを特徴とする。
【０００６】
このシャッタ機構によれば、シャッタを閉じる際にシャッタが摺動する方向における、通路のシャッタ上流側の下端部と通路のシャッタ下流側の上端部との間の距離をパチンコ玉の直径よりも大きくすることで、この間にパチンコ玉を収容することができる。これによって、通路のシャッタ上流側の下端部、通路のシャッタ下流側の上端部およびシャッタとの間にパチンコ玉が挟まれるのを防止することができる。
【０００７】
また、本発明のシャッタ機構は、前記シャッタを閉じる際に前記シャッタが摺動する方向における、前記通路のシャッタ上流側の下端部と前記通路のシャッタ下流側の上端部との間に形成される空間の水平方向の断面積が、前記シャッタ上流側の通路の断面積よりも大きいことを特徴とする。
【０００８】
このシャッタ機構によれば、シャッタを閉じる際にシャッタが摺動する方向における、通路のシャッタ上流側の下端部と通路のシャッタ下流側の上端部との間に形成される空間の水平方向の断面積を、シャッタ上流側の通路の断面積よりも大きくすることで、このシャッタ上流側の通路を同時に通過可能な数のパチンコ玉を空間に収容することができる。これによって、通路のシャッタ上流側の下端部、通路のシャッタ下流側の上端部およびシャッタとの間にパチンコ玉が挟まれるのを防止することができる。
【０００９】
また、本発明のシャッタ機構は、前記シャッタを閉じる際に前記シャッタが摺動する方向の前記シャッタの端部が、シャッタ上流側が鋭角となるように前記シャッタの厚さ方向に傾斜していることを特徴とする。
【００１０】
このシャッタ機構によれば、シャッタを閉じる際にシャッタが摺動する方向のシャッタの端部を傾斜させることで、シャッタを閉じる際に、パチンコ玉が下方に逃げやすくなる。これによって、通路のシャッタ上流側の下端部、通路のシャッタ下流側の上端部およびシャッタとの間にパチンコ玉が挟まれるのを防止することができる。
【００１１】
さらに、本発明のシャッタ機構は、前記通路のシャッタ下流側の上端部が、パチンコ玉が排出される下流側に傾斜していることを特徴とする。
【００１２】
このシャッタ機構によれば、シャッタ下流側の上端部をパチンコ玉が排出される下流側に傾斜させることで、シャッタを閉じる際に、シャッタが摺動する方向における、通路のシャッタ上流側の下端部と通路のシャッタ下流側の上端部との間に形成される空間にパチンコ玉を押し込みやすくなる。これによって、通路のシャッタ上流側の下端部、通路のシャッタ下流側の上端部およびシャッタとの間にパチンコ玉が挟まれるのを防止することができる。さらに、上端部がパチンコ玉が排出される下流側に傾斜しているので、シャッタが開いたときに、上記した空間に収容されているパチンコ玉をシャッタ下流側の通路に導くことができる。
【００１３】
また、本発明のシャッタ機構は、パチンコ玉を貯留する貯留部と、前記貯留部の底部に設けられたパチンコ玉を下方に排出する排出口と、前記貯留部の底部外面側に設けられ、前記排出口に沿って摺動して前記排出口を開閉可能なシャッタと、前記シャッタの下方側に設けられ、前記シャッタの摺動通路を形成する支持部材、または前記シャッタの摺動通路を形成する支持部材に取り付けられた部材に形成された前記パチンコ玉を下方に導く第２の排出口とを備えるシャッタ機構であって、少なくとも、前記シャッタを閉じる際に前記シャッタが摺動する方向における、前記排出口の下端部と前記第２の排出口の上端部との間の距離が、前記パチンコ玉の直径よりも大きいことを特徴とするシャッタ機構。
【００１４】
このシャッタ機構によれば、シャッタを閉じる際にシャッタが摺動する方向における、排出口の下端部と第２の排出口の上端部との間の距離をパチンコ玉の直径よりも大きくすることで、この間にパチンコ玉を収容することができる。これによって、排出口の下端部、第２の排出口の上端部およびシャッタとの間にパチンコ玉が挟まれるのを防止することができる。
【００１５】
また、本発明のシャッタ機構は、パチンコ玉を貯留する貯留部と、前記貯留部の底部に設けられたパチンコ玉を下方に排出する排出口と、前記貯留部の底部外面側に設けられ、前記排出口に沿って摺動して前記排出口を開閉可能なシャッタと、前記貯留部を設置する設置台と、前記設置台に前記排出口に対応して設けられた前記パチンコ玉を下方に排出する第２の排出口とを備えるシャッタ機構であって、少なくとも、前記シャッタを閉じる際に前記シャッタが摺動する方向における、前記排出口の下端部と前記第２の排出口の上端部との間の距離が、前記パチンコ玉の直径よりも大きいことを特徴とする。
【００１６】
このシャッタ機構によれば、シャッタを閉じる際にシャッタが摺動する方向における、排出口の下端部と第２の排出口の上端部との間の距離をパチンコ玉の直径よりも大きくすることで、この間にパチンコ玉を収容することができる。これによって、排出口の下端部、第２の排出口の上端部およびシャッタとの間にパチンコ玉が挟まれるのを防止することができる。
【００１７】
さらに、本発明のシャッタ機構は、前記シャッタを閉じる際に前記シャッタが摺動する方向における、前記排出口の下端部と前記第２の排出口の上端部との間に形成される空間の水平方向の断面積が、前記貯留部に形成された排出口の面積よりも大きいことを特徴とする。
【００１８】
このシャッタ機構によれば、シャッタを閉じる際にシャッタが摺動する方向における、排出口の下端部と第２の排出口の上端部との間に形成される空間の水平方向の断面積を、貯留部に形成された排出口の面積よりも大きくすることで、この排出口を同時に通過可能な数のパチンコ玉を空間に収容することができる。これによって、排出口の下端部、第２の排出口の上端部およびシャッタとの間にパチンコ玉が挟まれるのを防止することができる。
【００１９】
また、本発明のシャッタ機構は、前記シャッタを閉じる際に前記シャッタが摺動する方向の前記シャッタの端部が、前記貯留部側が鋭角となるように前記シャッタの厚さ方向に傾斜していることを特徴とする。
【００２０】
このシャッタ機構によれば、シャッタを閉じる際にシャッタが摺動する方向のシャッタの端部を傾斜させることで、シャッタを閉じる際に、パチンコ玉が下方に逃げやすくなる。これによって、排出口の下端部、第２の排出口の上端部およびシャッタとの間にパチンコ玉が挟まれるのを防止することができる。
【００２１】
また、本発明のシャッタ機構は、前記第２の排出口の上端部が、パチンコ玉が排出される下流側に傾斜していることを特徴とする。
【００２２】
このシャッタ機構によれば、第２の排出口の上端部をパチンコ玉が排出される下流側に傾斜させることで、シャッタを閉じる際に、シャッタが摺動する方向における、排出口の下端部と第２の排出口の上端部との間に形成される空間にパチンコ玉を押し込みやすくなる。これによって、排出口の下端部、第２の排出口の上端部およびシャッタとの間にパチンコ玉が挟まれるのを防止することができる。さらに、第２の排出口の上端部がパチンコ玉が排出される下流側に傾斜しているので、シャッタが開いたときに、上記した空間に収容されているパチンコ玉を排出口に導くことができる。
【００２３】
また、上記したシャッタ機構は、パチンコ玉を計数する計数機構を備える計数機に具備されてもよい。
【発明の効果】
【００２４】
本発明のシャッタ機構および計数装置によれば、シャッタを閉めた際、シャッタ端部と、玉箱や玉箱設置台のシャッタの閉じる方向の端部との間にパチンコ玉が挟まることを防止することができ、かつシャッタを確実に閉じることができる。
【発明を実施するための最良の形態】
【００２５】
以下、本発明の一実施の形態について図面を参照して説明する。
【００２６】
図１は、本発明に係る一実施の形態のシャッタ機構３００を有する計数装置１０を備えたパチンコ機２０を複数並設してなるパチンコ島１００を示す斜視図である。図２は、図１に示したパチンコ島１００の側面図である。
【００２７】
図１に示すように、パチンコ島１００は、つま板１０１間に複数のパチンコ機２０、２０…が並設されており、パチンコ機２０、２０…間には、台間機３０、３０…が挟まれた状態で配置され、その上部に幕板１０２が設けられている。この幕板１０２には、例えば、獲得した遊技媒体数に対応した表示機能を備える表示機２０５が設置され、その表示機２０５の下部には、例えば、スランプグラフ、スタート回数、大当たり回数などの情報を表示するデータ表示機４０が設置されている。
【００２８】
また、パチンコ機２０、２０…の前方には、各パチンコ機２０、２０…に対応して遊技客が座る椅子１０３、１０３…が配置されている。さらに、各パチンコ機２０、２０…の下方に前方に突き出し、パチンコ島１００に長手方向に設けられたカウンタ１０４（膳板ともいう）上には、各パチンコ機２０、２０…のそれぞれに対応して、パチンコ島１００側の基体としても機能する玉箱設置台１０５、１０５…が設置されている。また、各玉箱設置台１０５、１０５…上には玉箱１０６、１０６…が配置されている。また、カウンタ１０４の下方側には、玉箱１０６からのパチンコ玉を計数する計数装置１０が設置されている。
【００２９】
また、パチンコ機２０の表面側には、台本体２００、台本体２００の前面のほぼ中央部にほぼ水平に設置される上皿２０１、この上皿２０１の下部にほぼ水平に設置される玉受け皿２０２、この玉受け皿２０２の右方に設置されるハンドル２０３が設けられている。また、玉受け皿２０２の下部には、所定の距離をおいて玉箱１０６が位置する。
【００３０】
パチンコ機２０は、上皿２０１に入れられたパチンコ玉を、ハンドル２０３を回動することで台本体２００内に打ち込み、入賞して獲得した出玉を上皿２０１および玉受け皿２０２で受ける。この玉受け皿２０２の下部には、開口を有し、この開口を閉じている受け皿シャッタ（図示しない）を、玉受け皿２０２の前面に設けられたシャッタ操作部２０４を遊技客が所定方向に動作することで開くことができる。この受け皿シャッタが開くことで、玉受け皿２０２内のパチンコ玉を、玉受け皿２０２の下方の玉箱１０６内に排出可能となる。
【００３１】
また、図２に示すように、パチンコ機２の裏面側には、アウト玉を排出するアウト玉排出部２１０、このアウト玉排出部２１０から排出されたアウト玉を受け取るアウトボックス２１１、このアウトボックス２１１のアウト玉排出孔の下方に、アウト玉数を検出するためのアウトメータ２１２が設けられている。このアウトメータ２１２で、検知されたアウト玉は、アウトボックス２１１の底部に設けられた排出口に接続された排出パイプ２１３によって、排出樋２１４に導かれ、回収される。また、計数装置１０によって計数されたパチンコ玉は、誘導通路２１８を介して排出樋２１４に導かれ、回収される。
【００３２】
また、パチンコ機２０からの各種信号配線は、例えば、台間機３０の裏面に設けられた入力コネクタ２１５に接続され、また、計数装置１０やアウトメータ２１２からの信号配線は、台間機３０の裏面下部に設けられた下部入力コネクタ２１６に接続される。また、パチンコ機２０の外部に、出玉信号としてパチンコ機２０の上皿２０１へ供給される玉数を計数するセーフメータ（図示しない）が設置される。なお、台間機３０がいわゆるユニットの場合、対応するパチンコ機２０がパチンコ玉を貸し出す、いわゆるＣＲ機であり、セーフメータを用いずに、パチンコ機２０の特定領域への入賞の結果払い出される賞玉をパチンコ機２０からの出力信号によりカウントできる。ＣＲ機の場合、貸玉数を除いた入賞に基づき、払い出される賞玉に相当するセーフ相当出力がパチンコ機から出力される。またパチンコ機２０の貸玉ボタンを押すことによるパチンコ機２０からの貸玉数は、台間機３０からの出力信号によりカウントできる。セーフメータまたはパチンコ機２０からの出力信号によりカウントされたパチンコ玉数である賞玉数から、台間機３０やパチンコ機２０からの貸玉数や貸玉数に基づく金額情報などの信号による売上と、アウトメータ出力信号による発射玉数とを減算した情報が遊技ホールにおける損益情報として演算できる。ここで、アウトとは、発射玉を意味し、セーフとは、パチンコ機２０への供給玉、つまりパチンコ機２０の上皿２０１への供給玉を意味する。なお、上記した各種信号配線は、台間機３０を介して、例えば島コンピュータ（図示しない）に接続される一例を示したが、この構成に限られるものではなく、例えば、計数装置１０からの情報を直接島コンピュータに出力するようにしてもよい。
【００３３】
次に、本発明に係る一実施の形態のシャッタ機構３００について、図を参照して説明する。
【００３４】
図３は、カウンタ１０４上に各パチンコ機２０に対応して設けられた玉箱設置台１０５および玉箱１０６を示す斜視図である。図４は、玉箱１０６を取り除いた状態のカウンタ１０４上に設けられた玉箱設置台１０５を示す斜視図である。図５および図６は、計数装置１０側にパチンコ玉を導出する際の動作の説明をするための玉箱設置台１０５の斜視図である。図７は、図３のＡ−Ａ断面を示す図である。図８および図９は、図３のＡ−Ａ断面においてシャッタ機構３００の動作を説明するための図である。
【００３５】
図３に示すように、シャッタ機構３００は、貯留部として機能するパチンコ玉を貯留する玉箱１０６と、玉箱１０６を設置する玉箱設置台１０５と、玉箱１０６および玉箱設置台１０５にそれぞれ対応して開口されたパチンコ玉を下方に排出する排出口と機能する開口部１０７、２５２を開閉可能な玉箱シャッタ１０８および玉箱設置台シャッタ２５３とを備えている。
【００３６】
図３〜図６に示すように、パチンコ機２０の下方前面のカウンタ１０４に設けられた玉箱設置台１０５は、基板２５０と、この基板２５０上に、玉箱１０６の裏面側の溝部に対応して設けられ、玉箱１０６を所定の位置に配置するための位置固定突起部２５１と、玉箱１０６の底部に設けられた玉箱シャッタ１０８と嵌合してパチンコ玉を排出するための開口部１０７、２５２を開閉する玉箱設置台シャッタ２５３と、この玉箱設置台シャッタ２５３を遊技客に作動させるためのシャッタ開閉操作部２５４とを備えている。また、玉箱設置台１０５は、例えば、計数装置１０を係止可能であり、計数装置１０の係止部を係止する係止板２５６を備えている。また、玉箱設置台１０５には、計数装置１０に電力を供給したり、各種制御信号の交信をしたりするための配線と接続された接続コネクタ２５５が設けらている。この接続コネクタ２５５は、計数装置１０に設けられた接続コネクタと嵌合可能に構成されている。
【００３７】
図５および図６に示すように、シャッタ開閉操作部２５４は、遊技客が操作する操作部２５４ａと、この操作部２５４ａを一端部とし、回転軸２５４ｂに回転可能に支持され、他端が玉箱設置台シャッタ２５３とリンク機構によって接続された回転部材２５４ｃと、この回転部材２５４ｃの回転軸２５４ｂより他端側に一端が接続されたバネ部材２５４ｄとから主に構成されている。また、玉箱設置台シャッタ２５３は、玉箱設置台シャッタガイド２５７、２５７によって、玉箱設置台１０５の長手方向（図５および図６の左右方向）に移動可能に支持されている。
【００３８】
図６に示すように、バネ部材２５４ｄを引張る方向、すなわち玉箱設置台１０５を上方からみたときに、回転軸２５４ｂを中心に回転部材２５４ｃを右回りに回転させる方向に作動させると、玉箱設置台シャッタ２５３と嵌合する玉箱シャッタ１０８も玉箱設置台シャッタ２５３とともに、パチンコ玉が排出される通路の玉箱シャッタ上流側の下端部１０６ｂとこの通路の玉箱設置台シャッタ下流側の上端部２５０ｂとの間を摺動し、開口部１０７、２５２が露出される。なお、図６では、玉箱設置台シャッタ２５３および玉箱シャッタ１０８は、玉箱１０６の底部外面１０６ａと玉箱設置台１０５の上面２５０ａとの間を摺動する一例を示している。
【００３９】
そして、開口部１０７、２５２が露出されることにより、玉箱１０６内のパチンコ玉が下方に排出される。また、バネ部材２５４ｄの復元力により玉箱設置台シャッタ２５３が開口部２５２を覆う方向に移動する際には、玉箱シャッタ１０８は、玉箱設置台シャッタ２５３とともに移動し、玉箱１０６の開口部１０７を閉鎖する。なお、開口部１０７、２５２の形状は、パチンコ玉がスムーズに下方に排出可能な形状であればよく、例えば矩形、円形、楕円形などの形状に形成される。
【００４０】
また、少なくとも、玉箱シャッタ１０８および玉箱設置台シャッタ２５３を閉じる際にこれらのシャッタが摺動する方向（図７では左方向）における、玉箱１０６の底部外面１０６ａと玉箱設置台１０５の上面２５０ａとの間の距離Ｈが、パチンコ玉の直径よりも大きく構成されている。すなわち、玉箱シャッタ１０８および玉箱設置台シャッタ２５３を閉じる際にこれらのシャッタが摺動する方向（図７では左方向）の、玉箱１０６の底部外面１０６ａと玉箱設置台１０５の上面２５０ａとの間にパチンコ玉を挿入可能なように、これらの面間の距離Ｈを設定している。
【００４１】
なお、玉箱１０６の底部外面１０６ａと玉箱設置台１０５の上面２５０ａとの間の距離Ｈが、パチンコ玉の直径よりも大きく構成されていればよく、例えば、玉箱シャッタ１０８および玉箱設置台シャッタ２５３を閉じる際にこれらシャッタが摺動する方向（図７では左方向）における、パチンコ玉が排出される通路の玉箱シャッタ上流側の下端部１０６ｂ、すなわち玉箱１０６の開口部１０７の下端部１０６ｂと、この通路の玉箱設置台シャッタ下流側の上端部２５０ｂ、すなわち玉箱設置台１０５の開口部２５２の上端部２５０ｂとの間の距離を、上記した距離Ｈよりも大きく設定してもよい。この場合、下端部１０６ｂと上端部２５０ｂとの位置関係が斜め（鉛直以外）となってもよい。また、玉箱１０６の開口部１０７の下端部１０６ｂと、玉箱設置台１０５の開口部２５２の上端部２５０ｂとの間の距離は、距離Ｈと同じでもよく、この場合、下端部１０６ｂおよび上端部２５０ｂは同一の鉛直線上に位置する。
【００４２】
具体的には、一般的なパチンコ玉の直径が１１ｍｍであるので、少なくとも、玉箱１０６の底部外面１０６ａと玉箱設置台１０５の上面２５０ａとの間の距離Ｈは、１１．３〜１２ｍｍに設定することが好ましい。この範囲に距離Ｈ設定するのは、距離Ｈが１２ｍｍよりも大きい場合には、パチンコ機２０の玉受け皿２０２の底面が玉箱１０６に接近しすぎるので玉箱１０６からパチンコ玉を取り出し難くなる。また、距離Ｈが１１．３ｍｍより小さい場合、玉箱１０６の底部外面１０６ａと玉箱設置台１０５の上面２５０ａとの間への異物などが混在する際、空間１０９へのスムーズなパチンコ玉の収容が難しいからである。
【００４３】
また、玉箱シャッタ１０８および玉箱設置台シャッタ２５３を閉じる際にこれらのシャッタが摺動する方向（図７では右方向）における、玉箱１０６の開口部１０７の下端部１０６ｂと、玉箱設置台１０５の開口部２５２の上端部２５０ｂとの間に形成される空間１０９の水平方向の断面積、すなわち空間１０９における、玉箱１０６の底部外面１０６ａまたは玉箱設置台１０５の上面２５０ａに対向する水平面の面積が、玉箱１０６の底部に形成された開口部１０７の面積よりも大きくなるように構成されている。すなわち、空間１０９は、玉箱１０６の開口部１０７を下方に向かって同時に通過可能な数のパチンコ玉、換言すると、開口部１０７を塞ぐように開口部１０７内に単層で配置可能な最大数のパチンコ玉を挿入可能なように寸法が設定されている。
【００４４】
次に、シャッタ機構３００の動作について説明する。
【００４５】
遊技客が操作部２５４ａを操作し、バネ部材２５４ｄを引張る方向、すなわち玉箱設置台１０５を上方からみたときに、回転軸２５４ｂを中心に回転部材２５４ｃを右回りに回転させる方向に作動させると、玉箱設置台シャッタ２５３と嵌合する玉箱シャッタ１０８は玉箱設置台シャッタ２５３とともに、玉箱１０６の開口部１０７の下端部１０６ｂと玉箱設置台１０５の開口部２５２の上端部２５０ｂとの間（図８では、玉箱１０６の底部外面１０６ａと玉箱設置台１０５の上面２５０ａとの間）を摺動する。これによって、開口部１０７、２５２が露出され、玉箱１０６内のパチンコ玉が下方に排出される。
【００４６】
また、遊技客が操作部２５４ａから手を離すと、図８に示すように、バネ部材２５４ｄの復元力により玉箱シャッタ１０８および玉箱設置台シャッタ２５３は、開口部１０７、２５２を覆う方向に移動する。この際、図８に示すように、玉箱１０６の底部外面１０６ａと玉箱設置台１０５の上面２５０ａとの間にパチンコ玉ＰＢが存在した場合には、玉箱シャッタ１０８および玉箱設置台シャッタ２５３が摺動する方向（図８では左方向）の玉箱設置台シャッタ２５３の端面によって、そのパチンコ玉ＰＢが、玉箱１０６の底部外面１０６ａと玉箱設置台１０５の上面２５０ａとの間に形成される空間１０９に押し込まれる（図９参照）。そして、開口部１０７、２５２は、玉箱シャッタ１０８および玉箱設置台シャッタ２５３によって閉鎖される。なお、パチンコ玉を収納する空間１０９は、図７〜図１１に示すように、開口部１０７、２５２を閉鎖する際に玉箱シャッタ１０８および玉箱設置台シャッタ２５３が摺動する方向（図７〜図９では左）に構成されている。玉箱１０６の底部外面１０６ａと玉箱設置台１０５の上面２５０ａとの間に、開口部１０７に同時に存在可能なパチンコ玉を収納可能な空間１０９を設けることで、開口部１０７に同時に存在可能な最大個数のパチンコ玉を同時に空間１０９に収納することができる。
【００４７】
また、開口部１０７、２５２を開口する際に玉箱シャッタ１０８および玉箱設置台シャッタ２５３が摺動する方向（図７〜図９では右）に形成された、玉箱１０６の底部外面１０６ａと玉箱設置台１０５の上面２５０ａとの間の他の空間にはパチンコ玉が進出しないように、例えば仕切りを設けることが好ましい。これによって、この他の空間へのパチンコ玉の進出を防止することができるとともに、パチンコ玉が開口部２５２に落ち易くなる。
【００４８】
上記したように、本発明に係る一実施の形態のシャッタ機構３００によれば、玉箱シャッタ１０８および玉箱設置台シャッタ２５３を閉じる際にこれらのシャッタが摺動する方向における、玉箱１０６の底部外面１０６ａと玉箱設置台１０５の上面２５０ａとの間の距離Ｈをパチンコ玉の直径よりも大きくすることで、この間にパチンコ玉を収容することができる。これによって、玉箱１０６および玉箱設置台１０５と、玉箱シャッタ１０８および玉箱設置台シャッタ２５３との間にパチンコ玉が挟まれるのを防止することができる。
【００４９】
また、玉箱シャッタ１０８および玉箱設置台シャッタ２５３を閉じる際にこれらのシャッタが摺動する方向における、玉箱１０６の底部外面１０６ａと玉箱設置台１０５の上面２５０ａとの間に形成される空間１０９の水平方向の断面積を、玉箱１０６の底部に形成された開口部１０７の面積よりも大きくすることで、この開口部１０７を同時に通過可能な数のパチンコ玉を空間１０９に収容することができる。これによって、玉箱１０６および玉箱設置台１０５と、玉箱シャッタ１０８および玉箱設置台シャッタ２５３との間にパチンコ玉が挟まれるのを防止することができる。
【００５０】
なお、シャッタ機構３００の構成は、上記した構成に限られるものではない。図１０および図１１は、シャッタ機構３００の他の構成の断面を示した図である。
【００５１】
図１０に示すように、玉箱シャッタ１０８および玉箱設置台シャッタ２５３を閉じる際にこれらのシャッタが摺動する方向の玉箱シャッタ１０８および玉箱設置台シャッタ２５３の端部を、玉箱１０６側が鋭角となるようにシャッタの厚さ方向に傾斜して構成してもよい。このように、玉箱シャッタ１０８および玉箱設置台シャッタ２５３の端部を傾斜させることで、玉箱シャッタ１０８および玉箱設置台シャッタ２５３を閉じる際に、パチンコ玉が下方に逃げやすくなる。これによって、玉箱１０６および玉箱設置台１０５と、玉箱シャッタ１０８および玉箱設置台シャッタ２５３との間にパチンコ玉が挟まれるのをさらに効果的に防止することができる。
【００５２】
また、図１１に示すように、玉箱設置台１０５の開口部２５２を形成する、玉箱シャッタ１０８および玉箱設置台シャッタ２５３を閉じる際にこれらのシャッタが摺動する方向の玉箱設置台１０５の開口部２５２側の上端部２５０ｂを、開口部２５２に向かって下方に傾斜させてもよい。このように、玉箱設置台１０５の開口部２５２を形成する上端部２５０ｂを開口部２５２に向かって下方に傾斜させることで、玉箱シャッタ１０８および玉箱設置台シャッタ２５３を閉じる際に、パチンコ玉を空間１０９に押し込みやすくなる。これによって、玉箱１０６および玉箱設置台１０５と、玉箱シャッタ１０８および玉箱設置台シャッタ２５３との間にパチンコ玉が挟まれるのをさらに効果的に防止することができる。さらに、が開口部２５２に向かって下方に傾斜しているので、玉箱シャッタ１０８および玉箱設置台シャッタ２５３が開いたときに、すなわち玉箱シャッタ１０８および玉箱設置台シャッタ２５３が図１０において右方向に移動したときに、空間１０９に収容されているパチンコ玉を開口部２５２に導くことができる。
【００５３】
なお、玉箱設置台シャッタ２５３を図１１における右側に移動させてパチンコ玉を開口部２５２へ落下させる際、空間１０９に内在したパチンコ玉を開口部２５２に導く他の構成（上端部２５０ｂを開口部２５２に向かって下方に傾斜以外の構成）として、例えば、空間１０９を水平方向にＵ字状に囲む開口部２５２側が開口した仕切りを、玉箱シャッタ１０８に取り付けた針金で構成したり、玉箱シャッタ１０８と一体成形してもよい。これによって、開口部１０７、２５２を開口する玉箱シャッタ１０８の動作に伴って、空間１０９に内在したパチンコ玉を確実に開口部２５２に導くことができる。
【００５４】
次に、上記したシャッタ機構３００を有する計数装置１０の一例を説明する。
【００５５】
ここで、図１２は、玉箱設置台１０５に計数装置１０を取り付ける際のカウンタ１０４の長手方向からみた平面図（右側に島、左側に遊技客）である。ここで、取り付けられる計数装置１０は、特に限定されるものではなく、公知の計数装置が取り付けられる。
【００５６】
前述したように、玉箱設置台１０５は、計数装置１０に設けられた係止部４４１を係止する係止板２５６を備えている。この係止板２５６には、計数装置１０の係止部４４１を係止するための開口部２５６ａが形成されている。また、玉箱設置台１０５には、計数装置１０に電力を供給したり、各種制御信号の交信をしたりするための配線と接続された接続コネクタ２５５が設けられている。この接続コネクタ２５５は、計数装置１０に設けられた接続コネクタ４６０と嵌合可能に構成されている。そして、計数装置１０の係止部４４１を玉箱設置台１０５の係止板２５６に係止することで、計数装置１０が玉箱設置台１０５に係止される。
【００５７】
なお、図示しないが、計数装置１０の上部には、計数装置シャッタが設けられ、玉箱シャッタ１０８および玉箱設置台シャッタ２５３の開閉に連動して開閉するように構成されている。そして、玉箱シャッタ１０８および玉箱設置台シャッタ２５３が開くことによって、計数装置１０内に玉箱１０６からのパチンコ玉が流入し、計数される。また、図２に示すように、計数装置１０によって計数されたパチンコ玉は、誘導通路２１８を介して排出樋２１４に導かれ、回収される。
【００５８】
上記したシャッタ機構３００を有する計数装置１０では、上記したシャッタ機構３００と同様の作用効果を得ることができる。すなわち、玉箱シャッタ１０８および玉箱設置台シャッタ２５３を閉じる際にこれらのシャッタが摺動する方向における、玉箱１０６の底部外面１０６ａと玉箱設置台１０５の上面２５０ａとの間の距離Ｈをパチンコ玉の直径よりも大きくすることで、この間にパチンコ玉を収容することができる。これによって、玉箱１０６および玉箱設置台１０５と、玉箱シャッタ１０８および玉箱設置台シャッタ２５３との間にパチンコ玉が挟まれるのを防止することができる。
【００５９】
また、玉箱シャッタ１０８および玉箱設置台シャッタ２５３を閉じる際にこれらのシャッタが摺動する方向における、玉箱１０６の底部外面１０６ａと玉箱設置台１０５の上面２５０ａとの間に形成される空間１０９の水平方向の断面積を、玉箱１０６の底部に形成された開口部１０７の面積よりも大きくすることで、この開口部１０７を同時に通過可能な数のパチンコ玉を空間１０９に収容することができる。これによって、玉箱１０６および玉箱設置台１０５と、玉箱シャッタ１０８および玉箱設置台シャッタ２５３との間にパチンコ玉が挟まれるのを防止することができる。
【００６０】
さらに、玉箱１０６および玉箱設置台１０５と、玉箱シャッタ１０８および玉箱設置台シャッタ２５３との間にパチンコ玉が挟まれるのを防止することができるので、例えば、遊技客が誤って玉箱１０６内にジュースなどの液体をこぼしても、計数装置１０内に流入することはない。また、店員が、玉箱１０６および玉箱設置台１０５と、玉箱シャッタ１０８および玉箱設置台シャッタ２５３との間に挟まったパチンコ玉を除去するなどの作業を行うことがなくなるので、店員の作業効率を向上させることができる。
【００６１】
以上、本発明を実施の形態により具体的に説明したが、本発明はこれらの実施の形態にのみ限定されるものではなく、その要旨を逸脱しない範囲で種々変更可能である。
【図面の簡単な説明】
【００６２】
【図１】本発明に係る一実施の形態のシャッタ機構を有する計数装置を備えたパチンコ機を複数並設してなるパチンコ島を示す斜視図。
【図２】図１に示したパチンコ島の側面図。
【図３】カウンタ上に各パチンコ機に対応して設けられた玉箱設置台および玉箱を示す斜視図。
【図４】玉箱を取り除いた状態のカウンタ上に設けられた玉箱設置台を示す斜視図。
【図５】計数装置側にパチンコ玉を導出する際の動作の説明をするための玉箱設置台の斜視図。
【図６】計数装置側にパチンコ玉を導出する際の動作の説明をするための玉箱設置台の斜視図。
【図７】図３のＡ−Ａ断面を示す図。
【図８】図３のＡ−Ａ断面においてシャッタ機構の動作を説明するための図。
【図９】図３のＡ−Ａ断面においてシャッタ機構の動作を説明するための図。
【図１０】シャッタ機構の他の構成の断面を示した図。
【図１１】シャッタ機構の他の構成の断面を示した図。
【図１２】玉箱設置台に計数装置を取り付ける際のカウンタの長手方向からの平面図。
【符号の説明】
【００６３】
１０…計数装置、２０…パチンコ機、３０…台間機、４０…データ表示機、１００…パチンコ島、１０１…板、１０２…幕板、１０３…椅子、１０４…カウンタ、１０５…玉箱設置台、１０６…玉箱、１０６ａ…底部外面、１０６ｂ…下端部、１０８…玉箱シャッタ、１０９…空間、２０４…シャッタ操作部、２０５…表示機、２１０…アウト玉排出部、２１１…アウトボックス、２１２…アウトメータ、２１３…排出パイプ、２１４…排出樋、２１５…入力コネクタ、２１６…下部入力コネクタ、２１８…誘導通路、２２０…腰板、２５０…基板、２５０ａ…上面、２５０ｂ…上端部、２５１…位置固定突起部、１０７，２５２，２５６ａ…開口部、２５３…玉箱設置台シャッタ、２５４…シャッタ開閉操作部、２５４ａ…操作部、２５４ｂ…回転軸、２５４ｃ…回転部材、２５４ｄ…バネ部材、３００…シャッタ機構、２５５，４６０…接続コネクタ、２５６…係止板、４４１…係止部、ＰＢ…パチンコ玉。
【図１】
2008054981.tif 000003
【図２】
2008054981.tif 000004
【図３】
2008054981.tif 000005
【図４】
2008054981.tif 000006
【図５】
2008054981.tif 000007
【図６】
2008054981.tif 000008
【図７】
2008054981.tif 000009
【図８】
2008054981.tif 000010
【図９】
2008054981.tif 000011
【図１０】
2008054981.tif 000012
【図１１】
2008054981.tif 000013
【図１２】
2008054981.tif 000014